(57)【要約】      （修正有）【課題】複数の画像形成ユニットを有する画像形成装置の小型化を容易に達成し、さらには中間転写体クリーニング装置をユーザーが容易に交換でき、ランニングコスト（コスト／頁）をも低減する画像形成装置を提供する。【解決手段】ｉ番目の画像形成ユニットＰにおける感光体１の転写位置とｉ＋１番目の画像形成ユニットＰにおける感光体１の転写位置を結ぶ線に対して垂直な方向で、ｉ番目の画像形成ユニットＰにおける像担持体クリーニング装置５が、ｉ＋１番目の画像形成ユニットＰにおける現像装置４と重なりをもって配置され、１番目と２番目の画像形成ユニットＰにおける感光体１の転写位置を結ぶ線の延長線に対して垂直な方向で、中間転写体クリーニング装置11が、１番目の画像形成ユニットＰにおける現像装置４と重なりをもって配置されることを特徴とする。【選択図】図１
2005043559.tif 000002
【特許請求の範囲】
【請求項１】
静電潜像を形成する像担持体と、静電潜像を現像剤により現像剤像として顕像化する現像装置と、現像剤像を中間転写体上に転写した後、前記像担持体上に残った転写残現像剤を回収する像担持体クリーニング装置と、を有する複数の画像形成ユニットと、各画像形成ユニットによって形成された多色の現像剤像を順次転写される中間転写体と、該中間転写体上に形成した多色の現像剤像を転写材に転写する転写手段と、前記中間転写体上の転写残現像剤を回収する中間転写体クリーニング装置と、を有する画像形成装置において、
ｉを自然数とすると、ｉ番目の画像形成ユニットにおける像担持体の転写位置とｉ＋１番目の画像形成ユニットにおける像担持体の転写位置を結ぶ線に対して垂直な方向で、前記ｉ番目の画像形成ユニットにおける像担持体クリーニング装置が、前記ｉ＋１番目の画像形成ユニットにおける現像装置と重なりをもって配置され、
１番目と２番目の画像形成ユニットにおける像担持体の転写位置を結ぶ線の延長線に対して垂直な方向で、前記中間転写体クリーニング装置が、１番目の画像形成ユニットにおける現像装置と重なりをもって配置されることを特徴とする画像形成装置。
【請求項２】
前記中間転写体クリーニング装置は、前記１番目の画像形成ユニットにおける現像装置と前記中間転写体の間に配置されることを特徴とする請求項１に記載の画像形成装置。
【請求項３】
前記中間転写体から前記１番目の画像形成ユニットにおける現像装置までの距離は前記中間転写体クリーニング装置の高さより長いことを特徴とする請求項１又は請求項２に記載の画像形成装置。
【請求項４】
前記中間転写体クリーニング装置は前記中間転写体と分離可能で、前記中間転写体クリーニング装置のみでの交換が可能であることを特徴とする請求項１乃至請求項３のいずれかに記載の画像形成装置。
【請求項５】
前記像担持体クリーニング装置は、前記現像装置と前記中間転写体との間に配置されることを特徴とする請求項１乃至請求項４のいずれかに記載の画像形成装置。
【請求項６】
前記中間転写体から前記ｉ＋１番目の画像形成ユニットにおける現像装置までの距離は前記ｉ番目の画像形成ユニットにおける中間転写体クリーニング装置の高さより長いことを特徴とする請求項１乃至請求項５のいずれかに記載の画像形成装置。
【請求項７】
前記像担持体クリーニング装置は前記中間転写体と分離可能で、前記像担持体クリーニング装置のみでの交換が可能であることを特徴とする請求項１乃至請求項６のいずれかに記載の画像形成装置。
【請求項８】
前記画像形成ユニットにおける現像装置は像担持体および像担持体クリーニング装置と分離可能であることを特徴とする請求項１乃至請求項７のいずれかに記載の画像形成装置。
【請求項９】
前記画像形成ユニット内の現像装置４と感光体１が接する部分で開口して開くことを特徴とする請求項１乃至請求項８のいずれかに記載の画像形成装置。
【請求項１０】
前記現像剤は非磁性１成分現像剤であることを特徴とした請求項１乃至請求項９のいずれかに記載の画像形成装置。
【発明の詳細な説明】
【０００１】
【発明の属する技術分野】
本発明は、静電記録方式や電子写真方式等の画像形成プロセスを利用した画像形成装置に関し、特に複数の像担持体上のトナー像を、多重転写することにより、多色画像を得ることができる画像形成装置に関するものである。
【０００２】
【従来の技術】
デジタルカラー複写機の普及に伴い様々な形態の画像形成装置が考案されており、その中で現像剤の色ごとに複数色の画像形成部（以下画像形成ユニット）を設け、各画像形成ユニット毎で像担持体上に可視画像を形成し、該可視画像を紙等の転写材に順次転写し、更には一括定着してカラー画像を得る画像形成装置が提案・開発されている。
【０００３】
また、中間転写体を設け、各色毎の可視画像を該中間転写体上に一旦多重転写しておき、該中間転写体から転写材に一括転写をおこなう、中間転写体方式がある。この中間転写体方式の利点は転写材の種類を選ばず良質な画像が得られると供に転写材の搬送方法がシンプルになる為、装置の中で転写材のジャムが発生しにくく、又、ジャムが発生したとしても処理が容易な構成となっている。
【０００４】
中間転写体を用いた従来の画像形成装置について説明する。図８に示すカラー画像形成装置は装置本体内にマゼンダ、シアン、イエロー、ブラックの現像剤（以下トナーという）をそれぞれ有する画像形成ユニットＰＭ、ＰＣ、ＰＹ、ＰＫを備え、各画像形成ユニットＰＭ〜ＰＫで形成された可視画像を無端状の中間転写体Ｔ上に順次転写して多色画像を形成した後、転写材Ｓに一括転写を行ないフルカラーの画像形成を行うものである。
【０００５】
以下に画像形成工程について簡単に説明する。また各画像形成ユニットＰＭ〜ＰＫは実質的に同一の構成を有している為、図中点線枠内で示した画像形成ユニットＰＭについてのみ説明する。
【０００６】
画像形成ユニットＰＭは、図中矢印方向に回転駆動される像担持体としての感光体１Ｍを有し、感光体１Ｍの周辺には、感光体１Ｍを一様に帯電する帯電ローラ２Ｍ、感光体１Ｍ上に所望の静電潜像を形成する像露光装置３Ｍ、感光体１Ｍ上に形成された静電潜像を現像する現像装置４Ｍ、現像された可視画像を中間転写体Ｔに転写する転写手段である転写ローラ６Ｍ、感光体上に残存するトナーを除去するクリーニング装置５Ｍが感光体１Ｍの回転方向に順次配設されている。
【０００７】
帯電ローラ２Ｍにて一様に帯電された感光体面は、像露光装置３Ｍ（本例では、ＬＥＤ発光素子をドラムの母線方向に並べたＬＥＤヘッド）により、カラー画像のマゼンタ成分像に対応して露光され静電潜像が形成される。この静電潜像を、マゼンダ色のトナーを内包した現像装置４Ｍにて現像・顕像化する。
【０００８】
現像装置４Ｍは感光体１Ｍに接触して回転可能に配置された現像剤担持体である現像ローラ７Ｍと、現像ローラ７Ｍにマゼンダトナーを供給する為、現像ローラ７Ｍに接触して回転可能に配置された弾性状の現像剤供給部材（図中不図示）とを有している。現像剤供給部材により現像ローラ７Ｍに供給されたマゼンダトナーは規制部材（図中不図示）にて現像ローラ７Ｍ上でその層厚規制と電荷付与が行なわれ、感光体１Ｍとの対向部まで搬送される。
【０００９】
感光体１Ｍ上に形成された静電潜像は現像ローラ７Ｍ上のマゼンダトナーによって顕像化され、１次転写部Ｔ１にて中間転写体Ｔに転写され次色の画像形成ユニットＰＣへと搬送される。次色のシアントナーを有する画像形成ユニットＰＣでも同様な画像形成が行われ、中間転写体Ｔ上のマゼンダ像上にシアン像が形成される。このようにしてイエロー像、ブラック像も順次中間転写体Ｔ上に重ねられ、多色画像が形成される。中間転写体Ｔ上に形成された多色画像は、２次転写部Ｔ２にて転写材Ｓに一括転写された後、定着器９にて転写材Ｓ上に定着される。
【００１０】
また、感光体１Ｍより中間転写体Ｔに転写されなかった転写残トナーはクリーニング装置５Ｍにて回収される。また、中間転写体Ｔより転写材Ｓへ転写されなかった転写残トナーは、中間転写体Ｔと一体ユニット化された中間転写体クリーニング装置Ｃにより回収される。
【００１１】
【発明が解決しようとする課題】
電子写真の画像形成装置は、近年、市場より更なる小型化が要求されている。そして、画像形成装置を小さくするためには、中間転写体のまわりに画像形成ユニットおよび中間転写体クリーニング装置をいかに効率よく配置するのかが課題となっている。
【００１２】
たとえば、従来例のような中間転写体に対する画像形成ユニットおよび中間転写体クリーニング装置の配置では、画像形成装置の横幅は比較的押さえることができるが、高さ方向が高くなってしまうという問題がある。
【００１３】
またこのような配置では、中間転写体クリーニング装置がいっぱいになって交換の必要性が生じた場合、支軸１２を中心に開口し、４色の画像形成ユニットを取り除いたのち、中間転写体を取り除いて交換しなければならなく、ユーザーにとっては多大な手間がかかってしまい、非常にユーザビリティが悪いという問題があった。
【００１４】
このような問題を解決するために、中間転写体と中間転写体クリーニング装置を一体化し転写ユニットごと交換するような形態もあるが、中間転写体クリーニング装置がいっぱいになるたびにユーザーは高額なユニット交換をしなければならないため、必然的に１ページ当たりのコスト（ランニングコスト）は高いものとなってしまう問題があった。
【００１５】
そこで本発明では、複数の画像形成ユニットを有する画像形成装置の小型化を容易に達成し、さらには中間転写体クリーニング装置をユーザーが容易に交換でき、ランニングコスト（コスト／頁）をも低減する画像形成装置を提供することを目的とする。
【００１６】
【課題を解決するための手段】
上記課題を解決するために本発明に係る画像形成装置の代表的な構成は、静電潜像を形成する像担持体と、静電潜像を現像剤により現像剤像として顕像化する現像装置と、現像剤像を中間転写体上に転写した後、前記像担持体上に残った転写残現像剤を回収する像担持体クリーニング装置と、を有する複数の画像形成ユニットと、各画像形成ユニットによって形成された多色の現像剤像を順次転写される中間転写体と、該中間転写体上に形成した多色の現像剤像を転写材に転写する転写手段と、前記中間転写体上の転写残現像剤を回収する中間転写体クリーニング装置と、を有する画像形成装置において、ｉを自然数とすると、ｉ番目の画像形成ユニットにおける像担持体の転写位置とｉ＋１番目の画像形成ユニットにおける像担持体の転写位置を結ぶ線に対して垂直な方向で、前記ｉ番目の画像形成ユニットにおける像担持体クリーニング装置が、前記ｉ＋１番目の画像形成ユニットにおける現像装置と重なりをもって配置され、１番目と２番目の画像形成ユニットにおける像担持体の転写位置を結ぶ線の延長線に対して垂直な方向で、前記中間転写体クリーニング装置が、１番目の画像形成ユニットにおける現像装置と重なりをもって配置されることを特徴とする。
【００１７】
【発明の実施の形態】
［第一実施形態］
本発明に係る画像形成装置の第一実施形態について、図を用いて説明する。図１は本実施形態にかかる画像形成装置の断面図である。尚、本実施形態で用いる画像形成手段は非磁性１成分トナーを用いた接触現像方式であり、更には転写方法として中間転写方式を用いている。
【００１８】
画像形成装置は、装置本体内に第１、第２、第３及び第４の４つの画像形成ユニットＰＹ、ＰＭ、ＰＣ及びＰＫを備えている。各画像形成ユニットＰＹ〜ＰＫの上部には、各画像形成ユニットＰＹ〜ＰＫで形成された画像を順次多重転写する為のベルト状の中間転写体Ｔが図中矢印の方向に移動可能に配置されている。
【００１９】
画像形成ユニットＰＹ〜ＰＫは、イエロー、マゼンダ、シアン、ブラックのトナー像をそれぞれ形成するものであり、各画像形成ユニット毎に、回転可能な像担持体である感光体１Ｙ、１Ｍ、１Ｃ及び１Ｋと、感光体に従動回転しながら感光体表面を一様に帯電する帯電ローラ２Ｙ、２Ｍ、２Ｃ及び２Ｋと、トナーを収容し、感光体上に形成された各静電潜像を現像する為の現像装置４Ｙ、４Ｍ、４Ｃ及び４Ｋと、中間転写体Ｔに転写されなかったトナーを、感光体上より回収する為の像担持体クリーニング装置５Ｙ、５Ｍ、５Ｃ、５Ｋとが配置されている。
【００２０】
次に、画像形成の工程を説明する。なお、ＰＹ、ＰＭ，ＰＣ及びＰＫは同様な工程が繰り返される為、第一の画像形成ユニットＰＹついて説明する。
【００２１】
図１に示すように、画像形成部ＰＹにおいて、感光体１Ｙは、図中矢印の方向への回転過程で、帯電器２Ｙにより所望の極性・電位に均一帯電処理され、次いで露光装置３Ｙによりイエロー成分のデーターに応じた画像露光を受け、静電潜像が形成される。この静電潜像を、イエロートナーを内包した現像装置４Ｙに設置された現像ローラ７Ｙ上のトナーにより現像・顕像化して、トナー像を感光体１Ｙ上に形成する。感光体１Ｙ上に形成されたトナー像は、中間転写体Ｔ方向へと搬送され、中間転写体Ｔを挟んで感光体１Ｙと対向して配置された転写ローラ６Ｙとの対向部（１次転写部Ｔ１）において、転写ローラ６Ｙに印加される転写バイアスにより中間転写体Ｔ上に転写される。
【００２２】
転写されたイエロー像は、次の画像形成ユニットＰＭ方向に送られ、ＰＹと同様な画像工程により形成された感光体１Ｍ上のマゼンダトナー像がイエロー像の上に多重転写される。この工程は画像形成ユニットＰＣ、ＰＫにおいても繰り返し行われ、最終的には中間転写体Ｔ上に各色のトナー像が多重転写されたカラー画像が形成される。その後、中間転写体Ｔ上のカラー画像は、２次転写ローラ１０と対向する位置（２次転写部Ｔ２）で、シート積載トレイ１４から搬送ローラ１５によって搬送された紙等の転写材Ｓに一括転写された後、定着器９にて定着される。そして、カラー画像を転写された転写材Ｓは画像形成装置外に排出される。
【００２３】
一方、中間転写体Ｔに転写されず、感光体１Ｙ上に残留した転写残トナーは像担持体クリーニング装置５Ｙにて、感光体１Ｙ表面より回収される。
【００２４】
画像形成ユニットの形態を説明する。図２、図３に示すように、画像形成ユニットＰは、像担持体である感光体１、帯電ローラ２、現像装置４、像担持体クリーニング装置５から構成され、全体としては点線で囲んだようなクランク状の形態をとっている。帯電ローラ２、現像装置４、像担持体クリーニング装置５は、像担持体１の周りに像担持体１の回転方向に沿って配置されている。
【００２５】
画像形成ユニットＰは、色毎に複数設けられ、隣り合う画像形成ユニットＰの凹凸が重なるよう配置している。像担持体１Ｙ、１Ｍが中間転写体Ｔと接する位置Ｐ１、Ｐ２を結ぶ延長線に対し、垂直方向（図中破線方向）にて、中間転写体の転写面を基準として、画像形成ユニットＰＹの像担持体クリーニング装置５Ｙ、次色の画像形成ユニットＰＭにおける現像装置４Ｍの順で、重なるよう配置されている。
【００２６】
具体的には、中間転写体Ｔから現像装置４までの距離Ｌが像担持体クリーニング装置５の高さＨ１より大きく、中間転写体Ｔと現像装置４の間のスペースに前色の像担持体クリーニング装置５が入るよう構成されている。
【００２７】
また、２次転写後に転写材Ｓが最初に到達する１色目のクランク状の画像形成ユニットＰＹと中間転写体Ｔにできる空間に、中間転写体クリーニング装置１１は、画像形成ユニットＰＹの現像装置４Ｙと重なりを持つように配置されている。すなわち、像担持体１Ｙ、像担持体１Ｍが中間転写体Ｔと接する位置Ｐ１、Ｐ２を結ぶ線の延長線に対し、垂直方向（図中破線方向）にて、中間転写体Ｔの転写面を基準として、中間転写体クリーニング装置１１、１色目の画像形成ユニットＰＹにおける現像装置４Ｙの順で、重なるよう配置されている。具体的には、中間転写体Ｔより１色目の画像形成ユニットＰＹにおける現像装置４Ｙまでの距離Ｌが中間転写体クリーニング装置１１の高さＨ２より大きく、中間転写体Ｔと現像装置４Ｙとの間のスペースに中間転写体クリーニング装置１１が入るよう構成されている。
【００２８】
次に、画像形成ユニットの分離・交換方法について説明する。図４、図５に示すように、画像形成ユニットＰは、現像装置４と、感光体１、像担持体クリーニング装置５、中間転写体クリーニング装置１１及び帯電ローラ２とに、感光体１と現像装置４が接する部分で、分離可能となっており、現像装置４のみで交換できるようになっている。
【００２９】
画像形成装置は、支軸１２を中心に装置の上部が開くよう構成されている。このように画像形成装置を開くことにより、各画像形成ユニットＰ内の現像装置４と感光体１が接する部分のラインＷで開口される。すなわち、中間転写体Ｔ、感光体１、像担持体クリーニング装置５、中間転写体クリーニング装置１１が画像形成装置上部に一体となったまま、画像形成装置の上方に開口され、現像装置４が画像形成装置の下部に残る。これにより、ユーザーは、下部に残った現像装置４のみを取り外し、新しい現像装置４と交換することができる。
【００３０】
また、中間転写体クリーニング装置１１が中間転写体Ｔと現像装置４の間にあり、現像装置４と感光体１及び像担持体クリーニング装置５が分離可能であり、中間転写体Ｔと中間転写体クリーニング装置１１が分離可能であるため、装置を開口するだけで、像担持体クリーニング装置５、中間転写体クリーニング装置１１が開放され、中間転写体Ｔを移動させる事なく、像担持体クリーニング装置５、中間転写体クリーニング装置１１を交換することができる。
【００３１】
上述のごとく、ｉ番目の画像形成ユニットＰにおける感光体１の転写位置とｉ＋１番目の画像形成ユニットＰにおける感光体１の転写位置を結ぶ線に対して垂直な方向で、ｉ番目の画像形成ユニットＰにおける像担持体クリーニング装置５が、ｉ＋１番目の画像形成ユニットＰにおける現像装置４と重なりをもって配置され、１番目と２番目の画像形成ユニットＰＹ、ＰＭにおける感光体１Ｙ、１Ｍの転写位置を結ぶ線の延長線に対して垂直な方向で、中間転写体クリーニング装置１１が、１番目の画像形成ユニットＰＹにおける現像装置４Ｙと重なりをもって配置されるよう構成した。これにより、画像形成装置を小型化することができる。
【００３２】
また、像担持体クリーニング装置５及び中間転写体クリーニング装置１１が中間転写体Ｔと現像装置４の間にあり、現像装置４と感光体１及び像担持体クリーニング装置５が分離可能であり、中間転写体Ｔと中間転写体クリーニング装置１１が分離可能であり、各画像形成ユニットＰ内の現像装置４と感光体１が接する部分のラインＷで開口するよう構成した。これにより、中間転写体クリーニング装置１１、現像装置４、感光体１、像担持体クリーニング装置５へのアクセスが容易となる。その結果、ユーザーは中間転写体を移動させる事なく、ワンアクションで容易にこれらの交換をおこなうことができる。
【００３３】
また、中間転写体クリーニング装置１１が回収トナーでいっぱいになった場合でも、中間転写体クリーニング装置１１のみだけを交換できるため、従来の中間転写体と中間転写体クリーニング装置を一体化して転写ユニット交換という形態にする場合に比べて、ランニングコスト（コスト／頁）を低く抑えることが可能となる。
【００３４】
なお、本実施形態では、水平方向に画像形成ユニットが配置された画像形成装置について説明したが、垂直方向に画像形成ユニットが配置されている画像形成装置においても、本発明を適応することができる。これにより、本実施形態と同様、画像形成装置の小型化を容易に達成し中間転写体クリーニング装置をユーザーが容易に交換でき、ランニングコスト（コスト／頁）の低い小型の画像形成装置を提供することができる。
【００３５】
［第二実施形態］
次に本発明に係る画像形成装置の第二実施形態について図を用いて説明する。上記第一実施形態と説明の重複する部分については、同一の符号を付して説明を省略する。
【００３６】
図６に示すように、本実施形態にかかる画像形成装置は、中間転写体Ｔが画像形成ユニットＰの下面を移動する下面搬送の画像形成装置である。
【００３７】
図７に示すように、画像形成ユニットＰは、現像装置４と、感光体１、像担持体クリーニング装置５、中間転写体クリーニング装置１１及び帯電ローラ２とに、感光体１と現像装置４が接する部分で、分離可能となっており、現像装置４のみで交換できるようになっている。
【００３８】
画像形成装置は、支軸１２を中心に装置の上部が開くよう構成されている。このように画像形成装置を開くことにより、各画像形成ユニットＰ内の現像装置４と感光体１が接する部分のラインＷで開口される。すなわち、現像装置４が画像形成装置上部に一体となったまま、画像形成装置の上方に開口され、中間転写体Ｔ、感光体１、像担持体クリーニング装置５、中間転写体クリーニング装置１１が画像形成装置の下部に残る。これにより、ユーザーは、上部に回動した現像装置４のみを取り外し、新しい現像装置４と交換することができる。
【００３９】
また、中間転写体クリーニング装置１１が中間転写体Ｔと現像装置４の間にあり、現像装置４と感光体１及び像担持体クリーニング装置５が分離可能であり、中間転写体Ｔと中間転写体クリーニング装置１１が分離可能であるため、装置を開口するだけで、像担持体クリーニング装置５、中間転写体クリーニング装置１１が開放され、中間転写体Ｔを移動させる事なく、像担持体クリーニング装置５、中間転写体クリーニング装置１１を交換することができる。
【００４０】
上述のごとく構成したことにより、上記第一実施形態と同様、画像形成装置の小型化を容易に達成し中間転写体クリーニング装置をユーザーが容易に交換でき、ランニングコスト（コスト／頁）の低い小型の画像形成装置を提供することができる。
【００４１】
【発明の効果】
以上説明したように、ｉ番目の画像形成ユニットにおける像担持体の転写位置とｉ＋１番目の画像形成ユニットにおける像担持体の転写位置を結ぶ線に対して垂直な方向で、ｉ番目の画像形成ユニットにおける像担持体クリーニング装置が、ｉ＋１番目の画像形成ユニットにおける現像装置と重なりをもって配置され、１番目と２番目の画像形成ユニットにおける像担持体の転写位置を結ぶ線の延長線に対して垂直な方向で、中間転写体クリーニング装置が、１番目の画像形成ユニットにおける現像装置と重なりをもって配置されるよう構成した。これにより、画像形成装置を小型化することができる。
【００４２】
また、像担持体クリーニング装置及び中間転写体クリーニング装置は、１番目の画像形成ユニットにおける現像装置と中間転写体の間に配置され、像担持体クリーニング装置及び中間転写体クリーニング装置は中間転写体と分離可能で、像担持体クリーニング装置のみ、中間転写体クリーニング装置のみでの交換が可能であり、画像形成ユニット内の現像装置と像担持体が接する部分で開口して開くよう構成した。これにより、中間転写体クリーニング装置をユーザーが容易に交換でき、ランニングコスト（コスト／頁）をも低減することができる。
【図面の簡単な説明】
【図１】第一実施形態にかかる画像形成装置の断面図である。
【図２】画像形成ユニットの断面図である。
【図３】画像形成ユニットの説明図である。
【図４】ユーザビリティーを説明する図である。
【図５】ユーザビリティーを説明する図である。
【図６】第二実施形態にかかる画像形成ユニットの説明図である。
【図７】ユーザビリティーを説明する図である。
【図８】従来の画像形成装置の一例図である。
【符号の説明】
Ｃ        …中間転写体クリーニング装置
Ｐ        …画像形成ユニット
Ｓ        …転写材
Ｔ        …中間転写体
Ｔ１    …１次転写部
Ｔ２    …２次転写部
１        …感光体
２        …帯電ローラ
３        …像露光装置
４        …現像装置
５        …像担持体クリーニング装置
６        …転写部材
７        …現像ローラ
９        …定着器
１０        …２次転写ローラ
１１        …中間転写体クリーニング装置
１２        …支軸
１４        …シート積載トレイ
１５        …搬送ローラ
【図１】
2005043559.tif 000003
【図２】
2005043559.tif 000004
【図３】
2005043559.tif 000005
【図４】
2005043559.tif 000006
【図５】
2005043559.tif 000007
【図６】
2005043559.tif 000008
【図７】
2005043559.tif 000009
【図８】
2005043559.tif 000010